(57)【要約】【課題】住居に傷をつけることなく、天井面や壁面等の設置面に沿って、火災警報器を簡便に取り付け得ること。【解決手段】火災警報器取付具は、火災警報器が固定される固定部材と、住居内に設けられた被挟持部を挟持する挟持部材と、前記固定部材と挟持部材との間に設けられた棒状部材と、を備える。また、前記固定部材と棒状部材、又は前記挟持部材と棒状部材、との間を連結し、その連結角度を調節可能な角度調節部材を備える。また、前記棒状部材は伸縮自在である。【選択図】図１
2008262396.tif 000002
【特許請求の範囲】
【請求項１】
火災警報器が固定される固定部材と、
住居内に設けられた被挟持部を挟持する挟持部材と、
前記固定部材と挟持部材との間に設けられた棒状部材と、
を備えたことを特徴とする火災警報器取付具。
【請求項２】
前記固定部材と棒状部材、又は前記挟持部材と棒状部材、との間を連結し、その連結角度を調節可能な角度調節部材を備えたことを特徴とする請求項１記載の火災警報器取付具。
【請求項３】
前記棒状部材は伸縮自在であることを特徴とする請求項１又は２記載の火災警報器取付具。
【発明の詳細な説明】
【技術分野】
【０００１】
本発明は、天井面や壁面等の設置面に沿って、火災警報器を簡便に取り付け得るように構成した火災警報器取付具に関するものである。
【背景技術】
【０００２】
近年、防災意識の高まりから、一般家庭においても火災警報器やガス検知器等を設置するようになってきた。住宅用火災警報器を例に述べると、円板状の取付ベースや警報器本体、取付ネジ等がセットになって配送用の段ボール箱に収納されている。従来例として、次のような火災警報器を上げることができる（例えば、特許文献１、参照）。
【０００３】
即ち、前記警報器は、略円板状の取付ベースを天井面等に固定し、この取付ベースに各種回路部品を組み込んだ本体を固定する構成になっている。そして、警報器を天井面等に固定する場合は、先ず梱包から取付ベースや本体、十字穴付きタッピンネジ等の取付ネジを取り出す。次いで、取付ベースの貫通穴に取付ネジを挿通し、一方の手に持って設置面に対向させる。
【０００４】
この状態で、他方の手でドライバ等の工具を用いて取付ネジを回転させ、設置面に取付ベースをネジ止め固定する。この作業に続いて、固定された取付ベースに本体を被せるようにし、これを回動させて取付ベースに固定する。
【特許文献１】特開２００６−２４４４０８号公報
【発明の開示】
【発明が解決しようとする課題】
【０００５】
従来例では、住居に火災警報器を設置する場合、壁面、天井面等の設置面にネジ取付していたので、ネジ穴などの傷が設置面についてしまっていた。なお、両面テープ等で設置することも考えられるが、その場合であっても、粘着力により取り外し時に設置面を傷つけてしまう。一般ユーザからは、新築、既築に限らず、住居に傷をつけることなく、火災警報器を設置したいという要望があった。
【０００６】
本発明は、前記問題点に鑑みてなされたものであり、その目的は住居に傷をつけることなく、天井面や壁面等の設置面に沿って、火災警報器を簡便に取り付け得る火災警報器取付具を提供することにある。
【課題を解決するための手段】
【０００７】
この発明の火災警報器取付具は、火災警報器が固定される固定部材と、住居内に設けられた被挟持部を挟持する挟持部材と、前記固定部材と挟持部材との間に設けられた棒状部材と、を備えたことを特徴とする。
【０００８】
また、前記固定部材と棒状部材、又は前記挟持部材と棒状部材、との間を連結し、その連結角度を調節可能な角度調節部材を備えたことを特徴とする。また、前記棒状部材は伸縮自在であることを特徴とする。
【発明の効果】
【０００９】
本発明は、一端に挟持部材が設けられ、他端に火災警報器が固定される火災警報器取付具を用いて、住居内に設けられた被挟持部を挟持部材で挟持し、火災警報器を設置面（壁面、天井面等）に沿って設置することによって、住居に傷をつけることなく、火災警報器を設置することができる。この被挟持部としては、鴨居、ドア枠、カーテンレール等の住宅部材の他に、壁掛時計や衝立等の住居内に設置されて挟持可能な置物等も含まれる。
【００１０】
また、前記固定部材と棒状部材、又は前記挟持部材と棒状部材、との間の連結角度を調節可能な角度調節部材や、伸縮自在な棒状部材を備えたので、連結角度や棒状部材の長さを調節することにより、いかなる形状の住居であっても、設置面に沿って火災警報器を設置することができる。
【発明を実施するための最良の形態】
【００１１】
以下に、本発明の第１実施例を、図１を参照して詳細に説明する。住居内には天井面Ｃ、壁面Ｗ、及び壁面Ｗから張り出した鴨居Ｋ（被挟持部の一例）が設けられている。火災警報器取付具１００は、住居内に設けられた鴨居Ｋを挟持する挟持部材３０が一端に設けられ、火災警報器１０が固定される固定部材２０が他端に設けられ、挟持部材３０と固定部材２０との間に伸縮自在な棒状棒材４０が設けられる。また、挟持部材３０と棒状部材４０、固定部材２０と棒状部材４０との間には、それらの間を連結し、その連結角度を調節可能な角度調節部材６０、５０が設けられる。
【００１２】
火災警報器１０は、その火災検知性能に支障が生じないように、設置面として、天井面Ｃ、又は天井面Ｃから１５〜５０ｃｍ離れた位置の壁面Ｗに設置することが義務付けられているが、上記構成によれば、住居に設けられた被挟持部（鴨居Ｋ等）を挟持部材３０で挟持し、角度調節部材６０、５０の連結角度や棒状部材４０の長さを調節することにより、いかなる住居であっても、設置面（壁面Ｗ又は天井面Ｃ）に沿って火災警報器１０を設置することができるので、火災警報器１０の火災検知性能に支障が生じない。
【００１３】
挟持部材３０は、例えば、透明樹脂製のクリップであり、鴨居Ｋ等を挟持する挟持部３１と挟持部３１を操作する取手部３２とが設けられ、また、取手部３２の一方の端部には、角度調節部材６０に連結される球状体３３が設けられている。
【００１４】
固定部材２０は、例えば、透明樹脂製であり、Ｌ字状に屈曲した円柱状の棒状体で構成され、角度調節部材５０に連結される球状体２１が一端に設けられ、火災警報器１０を固定するための固定部２２が他端に設けられている。本実施例では、固定部２２は、火災警報器１０の背面に設けられた係合用孔部に係合する係合部で構成しているが、この固定構造は、それ以外の構造とすることもできる。
【００１５】
棒状部材４０は、例えば、透明樹脂製であり、円筒状の複数の棒状体４１が設けられ、また、複数の棒状体４１の一端には、角度調節部材６０に連結される球状体４２が設けられ、複数の棒状体４１の他端には、角度調節部材５０に連結される球状体４３が設けられている。複数の棒状体４１は、縮小時においては、直径の小さい棒状体４１を直径の大きい棒状体４１の内側に内包して、ほぼ１つの棒状体４１の長さとなり、また、伸長時においては、内包した棒状体４１を引き出すことによって、必要な長さに伸縮自在とすることができる。
【００１６】
角度調節部材５０は、例えば、透明樹脂製であり、両端を開口した円筒体に形成され、それぞれの開口を介して、棒状部材４０及び固定部材２０の球状体４３、２１を、円筒体内側に回動可能に収納して、棒状部材４０と固定部材２０とを連結している。球状体４３、２１の回動機能により、棒状部材４０及び固定部材２０を、円筒体に対して、３６０°角度自在に調節可能である。
【００１７】
角度調節部材６０も、角度調節部材５０と同様の材質及び形状であり、挟持部材３０及び棒状部材４０の球状体３３、４２を収納して、挟持部材３０と棒状部材４０とを角度自在に連結している。
【００１８】
火災警報器１０を壁面Ｗに沿って設置する場合、固定部材２０の固定部２２に火災警報器１０を固定し、取手部３２を操作して、鴨居Ｋを挟持部３１で挟持する。つぎに、棒状部材４０が壁面Ｗ方向に向くように角度調節部材６０を角度調節してから、棒状部材４０を伸長して、角度調節部材５０を壁面Ｗ直近に沿って位置させる。最後に、角度調節部材５０を角度調節して、壁面Ｗに沿って室内側を向くように火災警報器１０の位置を調節することにより、火災警報器１０を設置する。
【００１９】
以上のように構成したので、火災警報器取付具１００は、住居に傷をつけることなく、火災警報器１０を設置面に沿って設置することができる。また、角度調節部材５０、６０の連結角度調節機能や、棒状部材４０の全長調節機能により、いかなる形状の住居であっても、設置面に沿って火災警報器を設置することができる。また、透明部材で構成したので、住居内で目立たず、美観に優れる。
【００２０】
以上に本発明の実施例を説明したが、設置面としては壁面Ｗに限らず、天井面Ｃであってもよい。また、被挟持部としては鴨居Ｋに限らず、ドア枠、カーテンレール等の住宅部材や、壁掛時計や衝立等の住居内に設置されて挟持可能な置物等であってもよい。また、所望の設置面に沿って火災警報器を設置しやすいように、例えば、棒状部材を複数とし、それらを角度調節部材で連結した構造や、固定部材の形状を変更した構造など、火災警報器取付具の構造を適宜変更してもよい。
【図面の簡単な説明】
【００２１】
【図１】本発明の実施例１を示す火災警報器取付具を示す図である。
【符号の説明】
【００２２】
１０  火災警報器、２０  固定部材、２１  球状体、２２  固定部、３０  挟持部材、３１  挟持部、３２  取手部、３３  球状体、４０  棒状部材、４１  棒状体、４２  球状体、４３  球状体、５０  角度調節部材、６０  角度調節部材、１００  火災警報器取付具、Ｃ  天井面、Ｗ  壁面（設置面）、Ｋ  鴨居（被挟持部）。
【図１】
2008262396.tif 000003